(57)【要約】【課題】ワイヤハーネスの電線群を傷つけることなく、電線群に容易に装着することができる電線群用巻き付け保護材を提供する。【解決手段】面に垂直な方向より視て隙間が空くように所定間隔で平行にかつ段差状に配列された複数の帯状の上面部１２、１４および複数の帯状の下面部１６と、各上面部の両側の端縁と各上面部の両側に隣接の下面部の端縁とを一体に連結している複数の傾斜面部１８と、を有する台形波状に形成された樹脂製成形体であり、さらに、一方の一番端の上面部１２を除く他の全ての上面部１４同士および他の全ての上面部１４の両側の傾斜面部１８同士が同じ大きさに形成されているとともに、一番端の上面部１２の下面の幅寸法が他の全ての上面部１４の上面の幅寸法に等しくかつ一番端の上面部１２の両側の傾斜面部１８の幅寸法が他の全ての上面部１４の両側の傾斜面部１８の幅寸法と同一である。【選択図】図１
2018074865.tif 000002
【特許請求の範囲】
【請求項１】
面に垂直な方向より視て隙間が空くように所定間隔で平行にかつ段差状に配列された複数の帯状の上面部および複数の帯状の下面部と、前記各上面部の両側の端縁と前記各上面部の両側に隣接の前記下面部の端縁とを一体に連結している複数の傾斜面部と、を有する台形波状に形成された樹脂製成形体であり、
さらに、一方の一番端の上面部を除く他の全ての上面部同士および前記他の全ての上面部の両側の傾斜面部同士が同じ大きさに形成されているとともに、前記一番端の上面部の下面の幅寸法が前記他の全ての上面部の上面の幅寸法に等しくかつ前記一番端の上面部の両側の傾斜面部の幅寸法が前記他の全ての上面部の両側の傾斜面部の幅寸法と同一であることを特徴とする電線群用巻き付け保護材。
【請求項２】
前記一方の一番端の上面部または傾斜面部に目印が設けられていることを特徴とする請求項１に記載の電線群用巻き付け保護材。
【請求項３】
前記各上面部の前記一方の端縁より延在する傾斜面部のうち、前記他方側から数えて所要数の傾斜面部に各中途に前記各下面部側より視て段差面部を有し、
前記一方の一番端の上面部より前記一方側に延在する一番端の傾斜面部の下端には、前記段差面部に係合可能なロック部を有する、ことを特徴とする請求項１または２に記載の電線群用巻き付け保護材。
【請求項４】
電線群と、請求項１ないし３のいずれかの１項に記載の電線群用巻き付け保護材と、を備え、
前記電線群用巻き付け保護材は、前記電線群の周囲に一巻きに巻き付ける長さとなるように、他方側から所要長さだけ切除され、切除側の一番端の上面部に前記一方の一番端の上面部が重なった状態に前記電線群に巻き付けられている、ことを特徴とするワイヤーハーネス。
【発明の詳細な説明】
【技術分野】
【０００１】
本発明は、ワイヤハーネスの電線群を保護するための電線群用巻き付け保護材に関する。
【背景技術】
【０００２】
従来より、車両内に配索されるワイヤハーネスの電線群を保護するために、図７（ａ）に示すようなコルゲートチューブ１１０が用いられている。コルゲートチューブ１１０は、樹脂成形品である筒状の本体を有し、その長手方向Ｃに沿って環状凸部１１４Ａと環状凹部１１４Ｂとが交互に形成された蛇腹状となっている。また、筒状の本体には、その長手方向Ｃに沿ってスリット１１６が形成されている（例えば、特許文献１参照）。
【０００３】
特許文献１には、図７（ｂ）に示すように、あらかじめ板状に形成した基材１１１の表面１１１Ａ、裏面１１１Ｂにそれぞれ多数の峰部１１２Ａ、谷部１１２Ｂを平行、かつ、交互に設けておき、基材１１１を各峰部１１２Ａ、谷部１１２Ｂの連続方向に沿って湾曲させることにより、図７（ａ）に示すようなコルゲートチューブ１１０を製造することが記載されている。
【先行技術文献】
【特許文献】
【０００４】
【特許文献１】特開２０００−２２４７２８号公報
【発明の概要】
【発明が解決しようとする課題】
【０００５】
しかしながら、従来のコルゲートチューブは軸方向に形成されたスリットを開いてワイヤハーネスの電線群をコルゲートチューブ内に組み込んでいたため、組み込み作業に手間がかかる上、組み込む際にスリットの端部でワイヤハーネスの電線群を傷つけるという問題があった。
【０００６】
また、特許文献１に記載のコルゲートチューブにあっては、基材の裏面上にワイヤハーネスを置いて基材を筒状に湾曲させる際に、基材の端部どうしを正確に突き合わせる必要があり、作業に手間がかかるという問題があった。
【０００７】
本発明は、上述のような従来の問題点を解決するためになされたもので、ワイヤハーネスの電線群を傷つけることなく、電線群に容易に装着することができる電線群用巻き付け保護材を提供することを目的とする。
【課題を解決するための手段】
【０００８】
本発明に係る電線群用巻き付け保護材は、上記目的達成のため、面に垂直な方向より視て隙間が空くように所定間隔で平行にかつ段差状に配列された複数の帯状の上面部および複数の帯状の下面部と、前記各上面部の両側の端縁と前記各上面部の両側に隣接の前記下面部の端縁とを一体に連結している複数の傾斜面部と、を有する台形波状に形成された樹脂製成形体であり、さらに、一方の一番端の上面部を除く他の全ての上面部同士および前記他の全ての上面部の両側の傾斜面部同士が同じ大きさに形成されているとともに、前記一番端の上面部の下面の幅寸法が前記他の全ての上面部の上面の幅寸法に等しくかつ前記一番端の上面部の両側の傾斜面部の幅寸法が前記他の全ての上面部の両側の傾斜面部の幅寸法と同一であることを特徴としている。
【０００９】
上述のように、本発明に係る電線群用巻き付け保護材は、一方の一番端の上面部の下面の幅寸法が他の全ての上面部の上面の幅寸法に等しく、かつ、一番端の上面部の両側の傾斜面部の幅寸法が他の全ての上面部の両側の傾斜面部の幅寸法と同一になっている。これにより、一番端の上面部とその両側の傾斜面部を、他方の一番端にくる上面部とその両側の傾斜面部の上に密着して嵌めることができる。よって、特許文献１のように基材を筒状に湾曲させる際に端部を突き合わせるなどの手間が掛からず、電線群に容易に取り付けることができる。
【００１０】
また、本発明に係る電線群用巻き付け保護材は、ワイヤハーネスの電線群に一部オーバーラップして巻き付けるものであるので、従来のようにスリットから組み込む際に電線群を傷つけることもない。
【００１１】
したがって、本発明に係る電線群用巻き付け保護材は、ワイヤハーネスの電線群を傷つけることなく、電線群に容易に装着することができる。
【００１２】
また、本発明に係る電線群用巻き付け保護材では、前記一方の一番端の上面部または傾斜面部に目印が設けられた構成であってもよい。
【００１３】
この構成により、ワイヤハーネスの電線群の周長に適合するように電線群用巻き付け保護材をカットする際に、誤って一番端の幅広の上面部を切り落してしまうことを防止できる。
【００１４】
また、本発明に係る電線群用巻き付け保護材は、前記各上面部の前記一方の端縁より延在する傾斜面部のうち、前記他方側から数えて所要数の傾斜面部に各中途に前記各下面部側より視て段差面部を有し、前記一方の一番端の上面部より前記一方側に延在する一番端の傾斜面部の下端には、前記段差面部に係合可能なロック部を有する構成であってもよい。
【００１５】
この構成により、電線群用巻き付け保護材をワイヤハーネスの電線群に装着する際、一番端の幅広の上面部とその両側の傾斜面部が、他端の一番端の上面部とその両側の傾斜面部の上に被せられたとき、ロック部が段差面部に係合するので、保護材を巻き付けた状態でしっかりと仮止めすることができる。
【００１６】
また、本発明に係るワイヤハーネスは、電線群と、上記いずれかに記載の電線群用巻き付け保護材と、を備え、前記電線群用巻き付け保護材は、前記電線群の周囲に一巻きに巻き付ける長さとなるように、他方側から所要長さだけ切除され、切除側の一番端の上面部に前記一方の一番端の上面部が重なった状態に前記電線群に巻き付けられていることを特徴としている。
【発明の効果】
【００１７】
本発明によれば、ワイヤハーネスの電線群を傷つけることなく、電線群に容易に装着することができる電線群用巻き付け保護材を提供することができる。
【図面の簡単な説明】
【００１８】
【図１】本発明の第１の実施の形態に係る電線群用巻き付け保護材の斜視図である。
【図２】図１の電線群用巻き付け保護材の平面図である。
【図３】（ａ）適当な大きさにカットされた電線群用巻き付け保護材の正面図であり、（ｂ）は電線群に巻き付けたときに一部オーバーラップする部分の拡大図である。
【図４】本発明の第１の実施の形態に係る電線群用巻き付け保護材が適当な大きさにカットされて電線群に巻き付けられた状態を示す斜視図である。
【図５】図４のＶ−Ｖ断面図である。
【図６】（ａ）本発明の第２の実施の形態に係る電線群用巻き付け保護材の正面図であり、（ｂ）は電線群に巻き付けたときに一部オーバーラップする部分の拡大図である。
【図７】（ａ）従来のコルゲートチューブの斜視図であり、（ｂ）は特許文献１に記載の発明を説明するための説明図である。
【発明を実施するための形態】
【００１９】
以下、本発明に係る実施の形態について図面を参照して説明する。
【００２０】
（第１の実施の形態）
図１に示すように、本発明の第１の実施の形態に係る電線群用巻き付け保護材１０は、台形波状に形成された樹脂製成形体の板部材であり、ワイヤハーネス１の電線群８の大きさに合わせて所望の大きさの矩形にカットし、電線群８に巻き付けて電線群８を保護するものである。具体的には、電線群用巻き付け保護材１０は、複数の帯状の上面部１２、１４と複数の帯状の下面部１６と複数の帯状の傾斜面部１８とを有している。
【００２１】
図２に示すように、複数の帯状の上面部１２、１４および複数の帯状の下面部１６は、面に垂直な方向より視て隙間が空くように所定間隔で平行に配列され、かつ、図１に示すように段差状に配列されている。複数の傾斜面部１８は、各上面部１２、１４の両側の端縁と各上面部１２、１４の両側に隣接の下面部１６の端縁とを一体に連結している。図３に示すように、下面部１６に対する各傾斜面部１８の傾斜角度は全て同一になっている。よって、図３に示すように、各上面部１２、１４とその両側の傾斜面部１８とで１つの台形凸部１１ａ、１１ｂが形成され、各台形凸部１１ａ、１１ｂの基部が下面部１６で連結された構成となっている。
【００２２】
図３に示すように、一方の一番端の上面部１２を除く他の全ての上面部１４同士は、同じ大きさに形成されており、一方の一番端の上面部１２を除く他の全ての上面部１４の両側の傾斜面部１８同士は、同じ大きさに形成されている。よって、一番端の上面部１２を除く他の全ての上面部１４とその両側の傾斜面部１８が形成する台形凸部１１ｂは、全て同じ形状になっている。このようにすることで、電線群用巻き付け保護材１０を電線群８の大きさに合わせて所望の大きさの矩形にカットしたときに、他端には必ず台形凸部１１ａに嵌着する台形凸部１１ｂが位置することになり好ましい。
【００２３】
また、図３（ａ）に示すように、一方の一番端の上面部１２の下面の幅寸法Ｗ１は、他の全ての上面部１４の上面の幅寸法Ｗ２に等しくなっている。すなわち、Ｗ１＝Ｗ２である。よって、一番端の上面部１２は、他の全ての上面部１４よりも幅広になっている。さらに、一番端の上面部１２の両側の傾斜面部１８の幅寸法Ｗ３は、他の全ての上面部１４の両側の傾斜面部１８の幅寸法Ｗ４と同一になっている。すなわち、Ｗ３＝Ｗ４である。したがって、図３（ｂ）に示すように、電線群用巻き付け保護材１０が電線群８に巻き付けられて、一番端の上面部１２およびその両側の傾斜面部１８が、他端の上面部１４およびその両側の傾斜面部１８の上に被せられたとき、密着できるようになっている。あるいは、一番端の上面部１２およびその両側の傾斜面部１８が形成する台形凸部１１ａに、他端の上面部１４およびその両側の傾斜面部１８が形成する台形凸部１１ｂが圧入できるようになっている。
【００２４】
本実施形態では、一番端の上面部１２を除く他の全ての上面部１４とその両側の傾斜面部１８が形成する台形凸部１１ｂを全て同じ形状としたが、これに限定されず、一部または全部の形状を違えてもよい。要は、電線群用巻き付け保護材１０の一方の端にある台形凸部１１ａをぴったり被せることができる台形凸部１１ｂが、他方の端に存在していればよい。
【００２５】
また、本実施形態では、電線群８を周方向に均一に保護するために、両端の下面部１６を除いた他の全ての下面部１６の幅寸法を同一にしているが、これに限定されない。例えば、電線群８の周方向において特に保護を要する部分の下面部１６について、その幅寸法を他より小さくしてもよい。
【００２６】
また、図１および図２に示すように、一方の端の幅広の上面部１２を他の上面部１４と区別するために、一方の一番端の上面部１２に目印１９が設けられている。目印１９は、一番端の上面部１２の傾斜面部１８に設けるようにしてもよい。また、目印１９は、塗料で付してもよく、凹凸として形成してもよい。また、目印として、一番端の下面部１６の端縁を上方または斜め上方に折り曲げるように成形してもよい。
【００２７】
また、図２において電線群用巻き付け保護材１０の右端縁および上端縁をカットすることで、幅Ｗ、長さＬの大きさの部材にしている。よって、カット前の電線群用巻き付け保護材１０は、幅がＷより大きく、長さがＬより大きい。製造する（カット前の）電線群用巻き付け保護材１０は、使用が想定される電線群のうち最大径に対応可能な幅にし、使用が想定される電線群のうち最大長さに対応可能な長さにするのが、部品点数の削減上、好ましい。
【００２８】
電線群用巻き付け保護材１０は、限定するものではないが、例えばポリプロピレン（ＰＰ）などの樹脂製であり、例えば押出し成形により製造される。
【００２９】
次に、第１の実施の形態に係る電線群用巻き付け保護材１０をワイヤハーネス１の電線群８に取り付ける方法を説明する。
【００３０】
まず、図２に示すように幅Ｗ、長さＬの電線群用巻き付け保護材１０を、ワイヤハーネス１の電線群８の保護範囲の大きさ（径および長手方向の長さ）に合わせて適当な大きさにカットする。図２では、Ａ−Ｂ破線のところでカットする。このとき、目印１９を確認して、幅方向（Ｘ方向）の一番端に幅広の上面部１２が残るようにする。電線群用巻き付け保護材１０のカット後の幅は、電線群８を一巻きして一方の一番端の幅広の上面部１２が他方の一番端の上面部１２にちょうど被さるような長さに設定する。電線群用巻き付け保護材１０のカット後の長手方向（Ｙ方向）の長さは、電線群８の保護を要する長手方向の長さ分にする。
【００３１】
次に、図５に示すように、カット後の電線群用巻き付け保護材１０をワイヤハーネス１の電線群８に巻き付けて、一端の幅広の上面部１２を他端の上面部１４に被せるようにする。この状態で、図４に示すように、電線群用巻き付け保護材１０の上からテープ９を巻き回して電線群８ごと電線群用巻き付け保護材１０を固定する。さらに、必要に応じて結束バンドなどで電線群用巻き付け保護材１０を固定してもよい。
【００３２】
次に、作用・効果について説明する。
【００３３】
上述のように、本発明の第１の実施の形態に係る電線群用巻き付け保護材１０は、一方の一番端の上面部１２の下面の幅寸法Ｗ１が他の全ての上面部１４の上面の幅寸法Ｗ２に等しく、かつ、一番端の上面部１２の両側の傾斜面部１８の幅寸法Ｗ３が他の全ての上面部１４の両側の傾斜面部１８の幅寸法Ｗ４と同一になっている。これにより、一番端の上面部１２とその両側の傾斜面部１８を、他方の一番端にくる上面部１４とその両側の傾斜面部１８の上に密着して嵌めることができる。よって、特許文献１のように保護材を筒状に湾曲させる際に端部を突き合わせるなどの手間が掛からず、電線群８に容易に取り付けることができる。
【００３４】
また、本発明の第１の実施の形態に係る電線群用巻き付け保護材１０は、ワイヤハーネス１の電線群８に一部オーバーラップして巻き付けるものであるので、従来のようにスリットから組み込む際に電線群を傷つけることもない。
【００３５】
しかも、電線群用巻き付け保護材１０は、帯状の上面部１２、１４および下面部１６が電線群８の長手方向に延びるように電線群８に巻き付けられるので、電線群用巻き付け保護材１０を湾曲させるのが比較的容易であり、よって電線群８への取り付け作業が容易である。
【００３６】
したがって、本発明の第１の実施の形態に係る電線群用巻き付け保護材１０は、ワイヤハーネス１の電線群８を傷つけることなく、電線群８に容易に装着することができる。
【００３７】
加えて、電線群用巻き付け保護材１０は、必要な部分のみを残し、後は切除して使用するので、１種類の電線群用巻き付け保護材１０を用意するだけで、径の異なる複数の種類のワイヤハーネスに適用することができる。
【００３８】
また、本発明の第１の実施の形態に係る電線群用巻き付け保護材１０では、一方の一番端の上面部１２に目印１９が設けられた構成である。この構成により、ワイヤハーネス１の電線群８の周長に適合するように電線群用巻き付け保護材１０をカットする際に、誤って一番端の幅広の上面部１２を切り落してしまうことを防止できる。
【００３９】
（第２の実施の形態）
次に、本発明の第２の実施の形態に係る電線群用巻き付け保護材２０について説明する。
【００４０】
第２の実施の形態に係る電線群用巻き付け保護材２０は、仮止め用の段差面部２２とロック部２４とを有している点で第１の実施の形態に係る電線群用巻き付け保護材１０と相違している。以下では、第１の実施形態に係る電線用巻き付け保護材１０と同一の構成については、同一の符号を付して、詳細な説明を省略する。
【００４１】
図６に示すように、第２の実施の形態に係る電線群用巻き付け保護材２０は、各上面部１４の一方の端縁より延在する傾斜面部１８のうち、他方側から数えて所要数の傾斜面部１８に各中途に各下面部１６側より視て段差面部２２を有している。また、一方の一番端の上面部１２より一方側に延在する一番端の傾斜面部１８の下端には、段差面部２２に係合可能なロック部２４を有している。
【００４２】
この構成により、電線群用巻き付け保護材２０をワイヤハーネス１の電線群８に装着する際、一番端の幅広の上面部１２とその両側の傾斜面部１８が、他端の一番端の上面部１２とその両側の傾斜面部１８の上に被せられたとき、ロック部２４が段差面部２２に係合するので、電線群用巻き付け保護材２０を巻き付けた状態でしっかりと仮止めすることができる。
【００４３】
上記実施の形態では、一方の一番端の１つの上面部１２を他方の一番端の１つの上面部１４に被せる構成であるが、一方の一番端から２つの上面部を他方の一番端から２つの上面部にそれぞれ被せる構成であってもよい。また、オーバーラップさせる上面部の個数は、３以上でもよい。
【００４４】
本発明の実施の形態に係るワイヤハーネス１は、図４および図５に示すように、電線群８と、電線群用巻き付け保護材１０、２０とを備えている。この電線群用巻き付け保護材１０、２０は、電線群８の周囲に一巻きに巻き付ける長さとなるように、他方側から所要長さだけ切除され、切除側の一番端の上面部１２に一方の一番端の上面部１４が重なった状態に電線群８に巻き付けられている。
【００４５】
以上のように、本発明は、ワイヤハーネスの電線群を傷つけることなく、電線群に容易に装着することができるという効果を有し、電線群用巻き付け保護材およびこれを備えたワイヤハーネスの全般に有用である。
【符号の説明】
【００４６】
１  ワイヤーハーネス
８  電線群
１０、２０  電線群用巻き付け保護材
１２  端の上面部
１４  端以外の上面部
１６  下面部
１８、２８  傾斜面部
１９  目印
２２  段差面部
２４  ロック部
【図１】
2018074865.tif 000003
【図２】
2018074865.tif 000004
【図３】
2018074865.tif 000005
【図４】
2018074865.tif 000006
【図５】
2018074865.tif 000007
【図６】
2018074865.tif 000008
【図７】
2018074865.tif 000009